(57)【要約】【課題】時刻や電波強度などの自動更新に係る電力消費を抑えて、ユーザの操作に基づく表示内容の更新に電力をより有効利用することのできる情報表示端末を提供する。【解決手段】電子ペーパ１０は、電力の消費なしに表示内容を保持でき、表示内容の書き換え時に電力を消費する表示部３１を備え、ユーザの操作に基づいて表示内容を更新する第１の表示エリア６０と、自端末で自動的に表示内容を更新する第２の表示エリア５０が設けてあり、バッテリー残量が閾値を下回ったとき、第２の表示エリア５０の表示内容の自動更新に係る書き換え頻度や書き換え面積を通常電力モードより少なくして省電力化を図る省電力モードに切り替わる。【選択図】図１
2014119981.tif 000002
【特許請求の範囲】
【請求項１】
電力の消費なしに表示内容を保持でき、表示内容の書き換え時に電力を消費する表示部と、
ユーザの操作に基づいて表示内容を更新する第１の表示エリアと、自端末で自動的に表示内容を更新する第２の表示エリアを前記表示部に設けると共に、これらの表示エリアの表示内容の更新を制御する制御部と、
を有し、
前記制御部は、通常電力モードと、前記第２の表示エリアの表示内容の自動更新に係る書き換え量を変更して前記通常電力モードより消費電力を抑えた省電力モードとを有し、これらを切り替える
ことを特徴とする情報表示端末。
【請求項２】
電池式の電源部を更に備え、
前記制御部は、前記電源部の蓄電残量が所定の閾値を下回った場合に、前記省電力モードに切り替える
ことを特徴とする請求項１に記載の情報表示端末。
【請求項３】
前記制御部は、前記第２の表示エリアに表示される表示項目の書き換え頻度の増減によって前記書き換え量を変更する
ことを特徴とする請求項１または２に記載の情報表示端末。
【請求項４】
前記制御部は、前記第２の表示エリアに表示される表示項目の書き換え面積の増減によって前記書き換え量を変更する
ことを特徴とする請求項１乃至３のいずれか１つに記載の情報表示端末。
【請求項５】
前記制御部は、前記第２の表示エリアに表示される表示項目の表示、非表示を切り替えることで前記書き換え量を変更する
ことを特徴とする請求項１乃至４のいずれか１つに記載の情報表示端末。
【請求項６】
前記制御部は、前記書き換え量の変更に関する設定内容が異なる複数種類の省電力モードおよび各省電力モードの適用条件の設定を保存しておき、該保存している複数種類の省電力モードの中で前記適用条件の成立した省電力モードを実施する
ことを特徴とする請求項１乃至５のいずれか１つに記載の情報表示端末。
【請求項７】
前記適用条件は、前記閾値である
ことを特徴とする請求項２を引用する請求項６に記載の情報表示端末。
【請求項８】
前記保存する省電力モードの設定内容および適用条件の設定をユーザから受け付ける
ことを特徴とする請求項６または７に記載の情報表示端末。
【請求項９】
前記省電力モードに切り替えた場合に前記通常電力モードに比べて節約される電力量を算出してユーザに通知する通知部をさらに有する
ことを特徴とする請求項１乃至８のいずれか１つに記載の情報表示端末。
【請求項１０】
前記通知部は、前記節約される電力量で表示を更新可能なページ数、または手書き入力に応じて表示を更新する場合において前記節約される電力量で入力可能な手書き量、を算出して通知する
ことを特徴とする請求項９に記載の情報表示端末。
【発明の詳細な説明】
【技術分野】
【０００１】
本発明は、表示の制御によって省電力化を図る情報表示端末に関する。
【背景技術】
【０００２】
電子ペーパ等の情報表示端末に採用される電気泳動方式の表示部は、表示内容を電力を消費せずに保持でき、表示内容の書き換え時に大きな電力を消費する。
【０００３】
このような表示部を備える電子ペーパはバッテリー駆動される場合が多いので、たとえば、電池の使用可能残量を検出し、その検出された使用可能残量で、表示内容を書き換え可能な回数を算出して表示する技術が提案されている（特許文献１参照）。ユーザは、ページを書き換え可能な残り回数を確認しながら、文書の閲覧等を行うことができる。
【０００４】
また、電池の使用可能残量を検出し、その検出された使用可能残量で、表示内容を書き換え可能な回数を算出し、その算出した回数が、閲覧中のコンテンツの最終ページまでの残りページを順番に書き換え表示するために必要な書き換え回数に満たない場合に、１画面に複数ページ（２in１や４in１）を表示させる技術が提案されている（特許文献２参照）。１画面に複数ページの内容を表示することで、バッテリー残量が尽きるまでにコンテンツの残りページをより多く表示することができる。
【先行技術文献】
【特許文献】
【０００５】
【特許文献１】特開２００３−４０００２８号公報
【特許文献２】特開２００６−５７９７２号公報
【特許文献３】特開２００５−３０９４５１号公報
【発明の概要】
【発明が解決しようとする課題】
【０００６】
通常、電子ペーパには、表示部の一部（たとえば最上部など）に時刻やバッテリー残量を表示する表示領域があり、その表示領域では、装置によって表示内容が自動更新される。この自動更新によってもバッテリーが消費されるため、ユーザの操作に基づいてコンテンツ等の表示内容を更新可能なページ数が時刻などの自動更新のために少なくなってしまうという問題があった。
【０００７】
本発明は、上記の問題を解決するものであり、自動更新に係る電力消費を抑えて、ユーザの操作に基づく表示内容の更新に電力をより有効利用することのできる情報表示端末を提供することを目的としている。
【課題を解決するための手段】
【０００８】
かかる目的を達成するための本発明の要旨とするところは、次の各項の発明に存する。
【０００９】
［１］電力の消費なしに表示内容を保持でき、表示内容の書き換え時に電力を消費する表示部と、
ユーザの操作に基づいて表示内容を更新する第１の表示エリアと、自端末で自動的に表示内容を更新する第２の表示エリアを前記表示部に設けると共に、これらの表示エリアの表示内容の更新を制御する制御部と、
を有し、
前記制御部は、通常電力モードと、前記第２の表示エリアの表示内容の自動更新に係る書き換え量を変更して前記通常電力モードより消費電力を抑えた省電力モードとを有し、これらを切り替える
ことを特徴とする情報表示端末。
【００１０】
上記発明では、表示部は、電力の消費なしに表示内容を保持でき、表示内容の書き換え時に電力を消費する。この表示部には、ユーザの操作に基づいて表示内容を更新する第１の表示エリアと、表示内容が自動更新される第２の表示エリアとが設けられる。制御部は、通常電力モードと、第２の表示エリアの表示内容の自動更新に係る書き換え量の変更によって通常電力モードより省電力化を図った省電力モードとを切り替えることで、電力消費量を削減する。省電力モードで動作することで、時刻の表示など自動更新に係る電力消費を少なくし、ユーザ操作によるデータ閲覧、書き込みなどに関する利用時間を長くすることができる。
【００１１】
［２］電池式の電源部を更に備え、
前記制御部は、前記電源部の蓄電残量が所定の閾値を下回った場合に、前記省電力モードに切り替える
ことを特徴とする［１］に記載の情報表示端末。
【００１２】
上記発明では、電池式の電源部の蓄電残量（バッテリー残量）が所定の閾値を下回った場合に、通常電力表示モードから省電力モードに切り替えられる。これにより、蓄電残量が少ない状態で、表示内容の自動更新による電力消費が抑えられる。
【００１３】
［３］前記制御部は、前記第２の表示エリアに表示される表示項目の書き換え頻度の増減によって前記書き換え量を変更する
ことを特徴とする［１］または［２］に記載の情報表示端末。
【００１４】
上記発明では、省電力モードは、第２の表示エリアに表示される表示項目の書き換え頻度を少なくすることで書き換え量を減らす。たとえば、時刻表示の更新タイミングを１分毎から５分毎に変更する。
【００１５】
［４］前記制御部は、前記第２の表示エリアに表示される表示項目の書き換え面積の増減によって前記書き換え量を変更する
ことを特徴とする［１］乃至［３］のいずれか１つに記載の情報表示端末。
【００１６】
上記発明では、省電力モードは、第２の表示エリアに表示される表示項目の書き換え面積を少なくすることで書き換え量を減らす。たとえば、内容は同じまま表示サイズを小さくする、あるいは、時刻表示を分単位の書き換えから１０分単位の書き換えにして１の位の書き換えを割愛することで書き換え面積を少なくする。
【００１７】
［５］前記制御部は、前記第２の表示エリアに表示される表示項目の表示、非表示を切り替えることで前記書き換え量を変更する
ことを特徴とする［１］乃至［４］のいずれか１つに記載の情報表示端末。
【００１８】
上記発明では、省電力モードにおいて、第２の表示エリアに表示される表示項目を非表示にすることで、通常電力表示モードより書き換え量を減らして省電力化を図る。
【００１９】
［６］前記制御部は、前記書き換え量の変更に関する設定内容が異なる複数種類の省電力モードおよび各省電力モードの適用条件の設定を保存しておき、該保存している複数種類の省電力モードの中で前記適用条件の成立した省電力モードを実施する
ことを特徴とする［１］乃至［５］のいずれか１つに記載の情報表示端末。
【００２０】
上記発明では、複数種類の省電力モードおよび各省電力モードの適用条件の設定を保存し、その保存している複数種類の省電力モードの中で適用条件の成立した省電力モードを実施する。
【００２１】
［７］前記適用条件は、前記閾値である
ことを特徴とする［２］を引用する［６］に記載の情報表示端末。
【００２２】
上記発明では、各省電力モードの適用条件として、電池の蓄電残量と比較される閾値の設定を受ける。蓄電残量が閾値を下回ると適用条件が成立し、対応する省電力モードが実施される。
【００２３】
［８］前記保存する省電力モードの設定内容および適用条件の設定をユーザから受け付ける
ことを特徴とする［６］または［７］に記載の情報表示端末。
【００２４】
上記発明では、ユーザが、省電力モードの動作内容および適用条件を設定変更することができる。
【００２５】
［９］前記省電力モードに切り替えた場合に前記通常電力モードに比べて節約される電力量を算出してユーザに通知する通知部をさらに有する
ことを特徴とする［１］乃至［８］のいずれか１つに記載の情報表示端末。
【００２６】
上記発明では、通常電力モードから省電力モードに切り替えた場合に節約される電力量がユーザに通知される。
【００２７】
［１０］前記通知部は、前記節約される電力量で表示を更新可能なページ数、または手書き入力に応じて表示を更新する場合において前記節約される電力量で入力可能な手書き量、を算出して通知する
ことを特徴とする［９］に記載の情報表示端末。
【００２８】
上記発明では、節約される電力量が、ユーザにわかり易い単位で通知される。
【発明の効果】
【００２９】
本発明に係る情報表示端末によれば、自動更新に係る電力消費を抑えて、ユーザの操作に基づく表示内容の更新に電力をより有効利用することができる。
【図面の簡単な説明】
【００３０】
【図１】本発明の実施の形態に係る情報表示端末としての電子ペーパの外観を示す正面図である。
【図２】電気泳動方式の表示部の概略構造を示す説明図である。
【図３】本発明の実施の形態に係る電子ペーパの電気的概略構成を示すブロック図である。
【図４】電子ペーパの第２表示エリアの表示内容の例を示す図である。
【図５】省エネモード設定画面を示す図である。
【図６】電子ペーパの利用経過時間とバッテリー残量との関係をグラフで示す図である。
【図７】プロファイル詳細設定画面の一例を示す図である。
【図８】省エネプロファイル管理テーブルを示す図である。
【図９】省エネモード設定画面でユーザから設定操作を受け付ける際の処理を示す流れ図である。
【図１０】省エネプロファイルの設定を受ける際の処理（図９のステップＳ１０６の詳細）を示す流れ図である。
【図１１】省エネモードの実行制御にかかわる動作を示す流れ図である。
【発明を実施するための形態】
【００３１】
以下、図面に基づき本発明の実施の形態を説明する。
【００３２】
図１は、本発明の実施の形態に係る情報表示端末としての電子ペーパ１０を示す。電子ペーパ１０は、パーソナルコンピュータなどの情報処理装置や印刷装置などの外部装置と無線通信可能であり、情報処理装置等から画像や文書のデータを受信し、その内容を表示したり、編集したり、手書きによるメモ書きを付加したりする機能を備えている。また手書きメモを付加するなどの処理を加えた後の文書や画像を、情報処理装置や印刷装置などの外部装置に送信する機能を備えている。電子ペーパ１０は、たとえば、印刷前の文書の校閲、校正などに利用される。
【００３３】
電子ペーパ１０は、持ち歩きが可能なＡ４サイズ程の矩形の平板形状を成した携帯端末である。電子ペーパ１０は、表面のほぼ全域が文書や画像を表示するための表示部３１の表示面になっている。表示部３１の表示面上には、指やペンなどでタッチされた位置を検出するタッチパネルが設けてある。
【００３４】
表示部３１は、電力の消費なしに表示内容を保持でき、表示内容の書き換え時に電力を消費するタイプの表示装置である。ここでは、電気泳動方式の表示部３１を採用している。図２は、電気泳動方式の表示部３１の概略構造を示している。電気泳動方式の表示部３１は、表示解像度に対応した多数の電極８１を裏面に配列した透明な樹脂フィルム等からなる前面板８２と、該前面板８２側の各電極８１に対向するように多数の電極８３を一方の面に配列した背面板８４との間に、多数のマイクロカプセル８５を挟み込む構造を有する。マイクロカプセル８５は、負電荷を帯びた黒色顔料８６と正電荷を帯びた白色顔料８７とをオイル等の透明液体と共に透明中空の球体（カプセル）の中に封入して構成される。
【００３５】
前面板８２側の電極８１を背面板８４側の電極８３に対して正電位（＋）にすると、マイクロカプセル８５内の負電荷を帯びた黒色顔料８６が前面板８２側へ移動し、正電荷を帯びた白色顔料８７が背面板８４側へ移動する。これにより、その部分は、前面板８２側から見ると黒が表示された状態になる。一方、前面板８２側の電極８１を背面板８４側の電極８３に対して負電位（−）にすると、マイクロカプセル８５内の負電荷を帯びた黒色顔料８６が背面板８４側へ移動し、正電荷を帯びた白色顔料８７が前面板８２側へ移動する。これにより、その部分は、前面板８２側から見ると白が表示された状態になる。
【００３６】
図１に戻って説明を続ける。電子ペーパ１０の表示部３１の表示面には、ユーザの操作によって表示内容の書き換えが行われる第１表示エリア６０と、その上部に当該電子ペーパ１０が自動的に表示内容を更新する第２表示エリア５０が設けてある。
【００３７】
第１表示エリア６０には、電子ペーパ１０が、外部端末から受信して自装置が保有する画像や文書が表示される。また、ユーザは、第１表示エリア６０に表示されている画面に対する追記や、修正等の手書き入力を行うことができる。また、表示部３１の表示面の右端部には、手書き入力のための各種ツール（ペン、消しゴムなど）の選択釦（アイコン）を列挙したツールバー７０が表示されている。
【００３８】
第２表示エリア５０には自動更新情報が表示される。詳細には、自動更新情報として、日付情報（カレンダ）、時刻、バッテリー残量、無線通信の電波強度など当該電子ペーパ１０の状態やシステム情報が表示されており、これらの表示項目の表示内容は、電子ペーパ１０の制御により自動的に書き換えられる。たとえば、日付情報は日付が変わる度に、時刻は時刻が所定時間経過する度に書き換えられる。なお、図１では、わかりやすくするために第２表示エリア５０は点線で囲んで示してある。
【００３９】
電子ペーパ１０は、動作モードとして、第２表示エリア５０に表示される表示項目（自動更新情報）の書き換えを予め定めた通常設定で行う通常電力モードと、第２表示エリア５０に表示される表示項目の書き換え量の変更により自動更新に係る電力消費を抑えることのできる省電力モードを備えている。前述したように電気泳動方式の表示部３１は、電力の消費なしに表示内容を保持でき、表示内容の書き換え時に電力を消費するので、自動更新される表示項目の書き換え量を少なくすることで、自動更新に要する電力消費が低減される。書き換え量は、表示項目の書き換え頻度、書き換え面積、表示／非表示を変更することで低減される。
【００４０】
図３は、本発明の実施の形態に係る電子ペーパ１０の電気的な概略構成を示すブロック図である。電子ペーパ１０は、当該電子ペーパ１０の動作を統括的に制御する制御部としてのＣＰＵ(Central Processing Unit)１１を有している。ＣＰＵ１１にはバスを通じてＲＯＭ(Read Only Memory)１２、ＲＡＭ(Random Access Memory)１３、不揮発メモリ１４と、画像処理部１５、通信部１６、電源状態監視部１８、表示処理部１９、操作パネル３０が接続されている。また、各部に電力を供給するための電源ユニット（バッテリー（電池））１７を有する。
【００４１】
ＣＰＵ１１は、主にデータの送信、受信制御、データの格納、読み出し指示、表示部３１への表示指示、ユーザからの操作指示の入力、指示判定等、電子ペーパ１０全体の制御を行う機能を有する。ＲＯＭ１２には起動プログラムのほか各種のプログラムが格納されており、ＣＰＵ１１がＲＯＭ１２に格納されているプログラムをＲＡＭ１３にロードし、このプログラムに従って各種の処理を実行することで、電子ペーパ１０としての各機能が実現される。
【００４２】
ＲＡＭ１３は、プログラムのロードエリアのほか、ＣＰＵ１１がプログラムを実行する際に各種のデータを一時的に格納するワークエリアとして使用される。
【００４３】
不揮発メモリ１４は、電源をオフにしても記憶内容が破壊されないメモリ（フラッシュメモリ）である。本実施の形態では、不揮発メモリ１４には、表示部３１に表示する文書や画像のデータ（外部端末から受信したデータを含む）や、電子ペーパ１０の制御で使用する設定情報、後述する省エネプロファイル管理テーブルなどが格納される。
【００４４】
画像処理部１５は、ＲＡＭ１３に格納された表示データや描画データから、表示部３１に表示する画像を作成する。また、画像の拡大縮小、回転などの処理を行う。
【００４５】
通信部１６は、無線ＬＡＮ（Local Area Network）などのネットワークを通じて、外部装置との間でデータを無線通信する機能を果たす。有線での通信を行う機能を備えてもよい。通信部１６を通じて、表示対象の文書や画像のデータが外部から受信される。
【００４６】
電源ユニット１７は、電子ペーパ１０を駆動するための電力を供給する電源であり、バッテリー（電池）で構成される。電源ユニット１７は、アルカリ蓄電池、リチウムイオン電池等の二次電池等から構成される。
【００４７】
電源状態監視部１８は、電源ユニット１７の状態を監視し、供給可能な電力の残量（バッテリー残量）を検知し、その検知した情報をＣＰＵ１１に通知する。
【００４８】
表示処理部１９は、ＣＰＵ１１の指示に従って、表示部３１に表示する表示内容の書き換えを実行する。
【００４９】
操作パネル３０は、前述の表示部３１と、ユーザから各種の操作や手書き入力を受け付けるための操作部３２とを備えている。操作部３２は、スタートボタンなどのスイッチ部３３とタッチパネル部３４とを備えている。表示部３１は縦横の行列状に画素を配列した、所謂、ドットマトリクス型の表示装置である。
【００５０】
タッチパネル部３４は、表示部３１の表示面上に設けられて、タッチペンや指先などで押下された表示部３１上のタッチ位置（座標位置）を検出する。ＣＰＵ１１は、継続的に検出されるタッチ位置の変化（操作情報）から、ユーザによる追記や、修正等の手書き入力を認識する。
【００５１】
なお、電子ペーパ１０の制御をＣＰＵ１１で行う代わりに、各部の動作をハードウェア回路で実現するように構成されてもよい。
【００５２】
図４は、図１に示した第２表示エリア５０に表示される表示内容の一例を示す。図４（Ａ）は、通常電力モードでの表示例であり、図４（Ｂ）は省電力モードでの表示例である。
【００５３】
図４（Ａ）に示す通常電力モードでは、左から順番に日付、時刻、電波強度、バッテリー残量の各表示項目５１〜５４が表示されている。日付の項目５１は、年月日で構成され、日付が変わったら更新される（書き換えが行われる）。時刻の項目５２は、午前と午後を区別する情報（ＡＭ・ＰＭ）と１２時間表示での時分の表示とで構成され、１分経過するごとに更新される。電波強度の項目５３は、通信部１６が無線ＬＡＮルータ等の外部装置から受信している電波の強さを示す。実施の形態では、電波強度を５段階（強、中、弱、微弱、受信不可）に区分し、現在の電波強度に相当する段階が図柄によって表示される。電波強度の段階が変化したとき、逐次、表示が更新される。バッテリー残量の項目５４は、電源ユニット１７のバッテリー残量をフルを１００としたパーセンテージで数値表示する。バッテリー残量が１％分減少するごとに、表示が更新される。
【００５４】
図４（Ｂ）に示す省電力モードの表示では、時刻とバッテリー残量の項目５２、５４のみ表示され、日付と電波強度の項目５１、５３は非表示になっている。また、時刻は５分ごとに更新される設定になっている。バッテリー残量は数値表示から固定文字表示に変更されている。固定文字表示では、バッテリー残量が所定の閾値を下回るまでは非表示であり、バッテリー残量が所定の閾値を下回ったとき「Low Battery」等の固定文字を表示し、以後、表示の更新は行われない。図４（Ｂ）の状態は、図４（Ａ）の状態と比べて、第２表示エリア５０に表示される表示内容の書き換え量を、２つの表示項目を非表示にすることと、書き換え頻度を少なくすることによって低減して省電力が図られる。
【００５５】
電子ペーパ１０は、複数種類の省電力モードをそれぞれの適用条件と共に設定登録でき、そのうち、有効かつ適用条件の成立した省電力モードを実行するようになっている。電子ペーパ１０は、所定の設定画面を通じてユーザから各省電力モードの詳細な内容や適用条件の設定を受け付け、その内容を省エネプロファイルとして保存する。また、電子ペーパ１０は、登録されている１または複数の省エネプロファイルの中から、有効とする省エネプロファイルの選択をユーザから受け付け、その有効に設定されている１または複数の省エネプロファイルに従って省電力モードを実行する。
【００５６】
図５は、省エネモード設定画面１００の一例を示している。省エネモード設定画面１００では、省エネプロファイル（省エネモード１〜５）の設定登録（新規追加、変更、削除）および登録されている省エネプロファイルを有効とするか無効とするか（ＯＮ/ＯＦＦの設定）の選択を受け付ける。省エネモード設定画面１００は第１表示エリア６０（図１参照）に表示される。
【００５７】
変更釦１０１は、既に登録されている省エネプロファイルの内容を変更する場合に押下される操作釦である。電子ペーパ１０は、変更釦１０１が押下されると、省エネモード設定画面１００から、省エネプロファイル詳細設定画面１１０（図７）に画面を遷移させる。省エネプロファイル詳細設定画面１１０では、対象となる省エネプロファイルの詳細な設定を行うことができる。詳細は後述する。
【００５８】
削除釦１０２は、既に登録されている省エネプロファイルを削除する際に押下される操作釦である。電子ペーパ１０は、削除釦１０２が押下されたら、対応する省エネプロファイルを削除する。なお、ユーザの誤操作を回避するために、削除や変更の操作を受けた場合には、確認メッセージなどを表示し、さらにＯＫ釦の操作を受けたときに初めて削除や変更が有効になるように構成されてもよい。
【００５９】
オンオフ切り替え欄１０５は、対応する省エネプロファイルを有効（ＯＮ）にするか無効（ＯＦＦ）にするかの選択を受け付ける入力欄である。オンオフ切り替え欄１０５は、三角印の部分にタッチすると、選択肢の一覧が表示され、その中から任意の１つを選択することが可能なリストボックス形式の入力欄になっている。オンオフ切り替え欄１０５ではＯＮとＯＦＦが選択肢として表示される。
【００６０】
新規追加釦１０３は、新たな省エネプロファイルを作成する際に押下される操作釦である。電子ペーパ１０は、新規追加釦１０３が押下されたら、新たな省エネプロファイルを作成する。新たに作成される省エネプロファイルの内容は予め定めたデフォルト設定になっている。ユーザは新規作成後に対応する変更釦１０１を押下することで、新たに作成された省エネプロファイルの詳細な内容の変更を行うことができる。
【００６１】
確定釦１０４は、当該省エネモード設定画面１００で行われた設定変更等の内容を確定する際に押下される操作釦である。電子ペーパ１０は、確定釦１０４が押下されたら、その時点での各省エネモードプロファイルのＯＮ/ＯＦＦの設定を確定させ、当該画面を閉じてその表示を終了させる。
【００６２】
また、省エネモード設定画面１００の下部には、現在の省電力モードに関する設定内容で節約される電力量をユーザに通知するための通知欄１０６が設けられている。通知欄には、節約される電力量をワット時(mWh)で表示するほか、節約される電力量で表示を更新可能なページ数と、手書き入力に対応して表示を更新する場合に、節約される電力量で入力可能な手書き入力量、が算出されて通知される。
【００６３】
図５の例では、省エネモード１、省エネモード２をＯＮにし、他の省エネモードをＯＦＦにした場合に、５００mWhの電力量を節約できることが数値で表示されている。また、１ページを第１表示エリア６０の全体に表示するとした場合に、その節約される電力量で何ページ分（図では、約１０ページ分）の書き換えが可能であるかが表示されている。さらに、手書き入力中にその手書きの軌跡がリアルタイムに表示されるように第１表示エリア６０の表示内容を書き換える場合における、上述の節約される電力量で入力可能な手書き量が表示されている。ここでは、予め定めた標準の太さのペンを使用して予め定めた標準の移動速度で手書き入力が行われる場合に利用可能な手書き入力の時間（図では、約５分間）が表示される。
【００６４】
なお、節約される電力量をＧ、１ページの書き換えに要する標準の電力量をＫとすると、更新可能なページ数Ｐは、Ｐ＝Ｇ÷Ｋで求められる。また、標準の太さＤのペンを使用して標準の移動速度Ｖで手書き入力する場合の１分あたりの書き換え面積は、Ｄ×Ｖとなり、１平方ｃｍの書き換えに要する電力量をｗとすると、Ｄ×Ｖ×ｗが、１分間の手書き入力で消費される電力となるので、節約される電力量Ｇで手書き入力可能な時間Ｈは、Ｈ＝Ｇ÷（Ｄ×Ｖ×ｗ）として求められる。
【００６５】
複数の省エネモードの作成、選択時にそれらの省エネモード間で動作内容に矛盾が生じる場合には、ユーザにその旨を通知する異常処理を行うようにしてもよい。たとえば、ユーザが同じ内容の省エネプロファイルを作成しようとしたとき、もしくは矛盾する内容の省エネプロファイルを有効にしたときに警告を表示する。また、省エネモードや各設定情報に優先度を設定し、複数の省エネモードが重複する場合に優先度の高い方を実行することで動作の矛盾を解消するように構成されてもよい。
【００６６】
図６は、ユーザの操作による表示内容の変更は一切行わずに、自動更新による表示の変更だけを行った場合における電子ペーパ１０のバッテリー残量の減少特性を示すグラフである。横軸は、電子ペーパ１０の利用経過時間、縦軸はバッテリー残量の割合を示している。
【００６７】
図６において実線のグラフで示す減少特性Ａは、Ｔ０〜Ｔ１は通常電力モード、Ｔ１〜Ｔ２は第１省電力モード、Ｔ２以降は第１省電力モードよりも電力消費の少ない第２省電力モードで動作する場合におけるバッテリー残量の減少特性を示している。
【００６８】
破線で示す減少特性Ｂは、減少特性Ａに対してＴ１を経過してもそのまま通常電力モードを最後まで継続した場合におけるバッテリー残量の減少特性を示している。一点破線で示す減少特性Ｃは、減少特性Ａに対してＴ２を経過してもそのまま第１省電力モードを継続した場合の減少特性を示している。
【００６９】
減少特性Ｂ（常に通常電力モード）に対して、減少特性Ａの場合に節約可能な電力量は、減少特性Ｂでバッテリー残量が０になるＴ３の時点で減少特性Ａの示すバッテリー残量であり、図中の矢印Ｄの高さに相当する電力量となる。また、減少特性Ｂ（常に通常電力モード）に対して、減少特性Ｃの場合に節約可能な電力量は、減少特性Ｂでバッテリー残量が０になるＴ３において減少特性Ｃの示すバッテリー残量であり、図中の矢印Ｅの高さに相当する電力量となる。
【００７０】
なお、減少特性Ｃに対して、減少特性Ａを採用した場合に節約される電力量は、減少特性Ｃでバッテリー残量が０になるＴ４において減少特性Ａの示すバッテリー残量であり、図中の矢印Ｆの高さに相当する電力量となる。電子ペーパ１０は、このようなグラフ（もしくはグラフに対応する関数）に基づいて、節約される電力量を算出する。
【００７１】
図７は、図５の省エネモード設定画面１００において、変更釦１０１が押下された場合の遷移先の画面であるプロファイル詳細設定画面１１０を示している。プロファイル詳細設定画面１１０では、対象となる省エネプロファイルの詳細な設定を行うことができる。
【００７２】
プロファイル詳細設定画面１１０には、設定対象の省エネプロファイル名を設定変更するためのプロファイル名設定欄１１１、バッテリー残量の表示方法を選択するためのバッテリー残量表示設定欄１１２、時刻の表示方法を選択するための時刻表示設定欄１１３、カレンダの表示方法を選択するためのカレンダ表示設定欄１１４、電波強度の表示方法を選択するための電波強度表示設定欄１１５がある。
【００７３】
また、プロファイル詳細設定画面１１０には、設定中の省エネプロファイル（省電力モード）の適用条件に関する設定項目として、バッテリー残量閾値設定のオン・オフを選択するためのバッテリー残量閾値オンオフ欄１１６と、バッテリー残量の閾値を選択するためのバッテリー残量閾値設定欄１１７が設けてある。さらに、プロファイル詳細設定画面１１０には、該プロファイル詳細設定画面１１０で設定した内容を確定させて登録する際に押下される登録釦１１８、設定破棄するためのキャンセル釦１１９が設けられている。
【００７４】
ユーザは、手書き入力やソフトキーボードなどからプロファイル名設定欄１１１に任意の名称を入力して設定対象の省エネプロファイルの名称を設定することができる。
【００７５】
バッテリー残量表示設定欄１１２は、三角印の部分にタッチすると、選択肢の一覧が表示されその中から任意の１つを選択することが可能なリストボックス形式の入力欄になっている。ユーザは、バッテリー残量表示設定欄１１２において、予め定めた複数の選択肢の中からバッテリー残量の表示方法を選択することができる。ここでは、数値表示（１％、通常表示）、数値表示（２％）、数値表示（５％）、固定文字列表示、アイコン表示、非表示などの選択肢から選択可能になっている。
【００７６】
時刻表示設定欄１１３もリストボックス形式となっており、予め定めた複数の選択肢の中から時刻の表示方法を選択することができる。ここでは、通常表示（１分間隔更新  数値表示）、５分間隔更新、１０分間隔更新、２０分間隔更新、６０分間隔更新、時計の時針・分針を図柄で示すアナログ時計表示、非表示などの選択肢から選択可能になっている。
【００７７】
カレンダ表示設定欄１１４もリストボックス形式となっており、通常表示（年月日を表示）、非表示、日付のみ表示などの選択肢がある。電波強度表示設定欄１１５もリストボックス形式となっており、電波強度が変化する毎に表示を更新する通常表示、３分間隔更新、５分間隔更新、１０分間隔更新、非表示、図柄を通常より小さく表示するスモール表示などの選択肢から選択可能になっている。
【００７８】
バッテリー残量閾値設定欄１１７には、閾値として、６０％〜１０％の範囲内の１０％間隔の値を任意に設定できる。バッテリー残量閾値設定欄１１７をＯＮにする（チェックマークをつける）と、電源ユニット１７のバッテリー残量がバッテリー残量閾値設定欄１１７で指定された値を下回っているとき（ただし、省エネモード設定画面１００で有効に設定されている場合に限る）に、この省エネプロファイル（省電力モード）が実施される。バッテリー残量閾値設定欄１１７をＯＦＦにすると、バッテリー残量にかかわらず常時（ただし、省エネモード設定画面１００で有効に設定されている場合に限る）、この省エネプロファイル（省電力モード）が実施される。
【００７９】
図８は、図５に示す５つの省エネプロファイル（省エネモード１〜５）の設定内容（登録内容）および各省エネプロファイルの有効・無効を管理するために作成されて登録される省エネプロファイル管理テーブル１２０の一例を示している。省エネプロファイル管理テーブル１２０は、不揮発メモリ１４に保存される。
【００８０】
省エネプロファイル管理テーブル１２０には、省エネモード設定画面１００で設定された省エネプロファイル（省エネモード）毎に、その省エネプロファイルに割り当てたＩＤ、有効・無効、プロファイル詳細設定画面１１０で設定した各項目の内容（プロファイル名、および閾値、バッテリー残量、時刻、カレンダ、電波強度の各表示方法）が対応するフィールドに登録される。
【００８１】
図８の例では、省エネモード１と省エネモード２が有効となっており、省エネモード３〜５は無効となっている。ここでは、複数の省エネプロファイルが重複して適用条件を満たす場合（有効の設定かつ、バッテリー残量が閾値未満またはバッテリー残量にかかわらず常時有効の場合）には、バッテリー残量にかかわる閾値の低い省エネモードが優先的に実行される。たとえば、バッテリー残量が４８％の状態では、６０％以下で有効となる省エネモード１と、５０％以下で有効となる省エネモード２とが共に適用条件を満たすが、より閾値の低い省エネモード２で第２表示エリア５０の表示内容の自動更新が制御される。
【００８２】
なお、各表示項目において最も電力消費量が少ない設定が優先されるようにされてもよい。たとえば、図８においてバッテリー残量が５０％未満の場合、省エネモード１と省エネモード２の両方の省エネプロファイルが適用条件を満たす。この場合、バッテリー残量の表示設定は、省エネモード１に設定されている「非表示」と省エネモード２に設定されている「アイコン」とが選択肢となり、これらの中で最も消費電力が少ない「非表示」が選択される。時刻の表示設定は、省エネモード１に設定されている「通常表示」と省エネモード２に設定されている「５分間隔更新」とが選択肢となり、これらの中で最も消費電力が少ない「５分間隔更新」が選択される。
【００８３】
次に、電子ペーパ１０で行われる、第２表示エリア５０の自動更新に関する各種の処理の流れについて説明する。
【００８４】
図９は、図５の省エネモード設定画面１００でユーザから設定操作を受け付ける際に電子ペーパ１０のＣＰＵ（制御部）１１が行う処理の流れを示している。省エネモード設定画面１００を表示するための所定の操作を受け付けたら（ステップＳ１０１）、ＣＰＵ１１は、省エネプロファイル管理テーブル１２０を参照して、その時点で有効に設定されている省エネプロファイルの設定内容を読み込む（ステップＳ１０２）。また、省エネプロファイル管理テーブル１２０をコピーした一時管理テーブルを作成する。
【００８５】
そして、通常電力モードで動作させた場合に対して、有効に設定されている省エネプロファイルの省電力モードに従って現時点から第２表示エリア５０の表示内容の自動更新を制御した場合に節約される電力量を算出する（ステップＳ１０３）。ここでは、電力量とその電力量で更新可能なページ数、手書き入力可能な時間を算出する。そしてこれらの値が通知欄１０６に表示されるようにして省エネモード設定画面１００を表示部３１の第１表示エリア６０に表示する（ステップＳ１０４）。
【００８６】
この状態で、いずれかの省エネプロファイルに係る変更釦１０１（図５参照）が押下されたら（ステップＳ１０５；Ｙｅｓ）、その変更釦１０１に対応する省エネプロファイルの設定変更を受け付けるプロファイル変更処理を行い（ステップＳ１０６）、ステップＳ１０２に戻って処理を継続する。ステップＳ１０６の詳細は図１０にて説明する。
【００８７】
いずれかの省エネプロファイルに係る削除釦１０２の押下を受け付けたら（ステップＳ１０５；Ｎｏ、ステップＳ１０７；Ｙｅｓ）、その削除釦１０２に対応する省エネプロファイルを省エネプロファイル管理テーブル１２０をコピーした一時管理テーブルから削除して（ステップＳ１０８）、ステップＳ１０２に戻って処理を継続する。なお、削除した省エネプロファイルに関する表示項目を省エネモード設定画面１００からも削除する。
【００８８】
新規追加釦１０３の押下を受け付けたら（ステップＳ１０７；Ｎｏ、ステップＳ１０９；Ｙｅｓ）、新規の省エネプロファイルをデフォルトの設定内容で一時管理テーブルに追加登録し（ステップＳ１１０）、ステップＳ１０２に戻って処理を継続する。なお、新規追加した省エネプロファイルに関する表示項目を省エネモード設定画面１００にも追加表示する。
【００８９】
いずれかの省エネプロファイルに係るオンオフ切り替え欄１０５にて有効・無効の切り替え操作を受けたら（ステップＳ１０９；Ｎｏ、ステップＳ１１１；Ｙｅｓ）、一時管理テーブル内のその省エネプロファイルに関する有効・無効の設定を、オンオフ切り替え欄１０５で受け付けた設定内容に対応するように更新し（ステップＳ１１２）、ステップＳ１０２に戻って処理を継続する。
【００９０】
確定釦１０４の押下操作を受けた場合は（ステップＳ１１１；Ｎｏ、ステップＳ１１３；Ｙｅｓ）、省エネモード設定画面１００に表示中の設定内容を確定させ、一時管理テーブルの内容を省エネプロファイル管理テーブル１２０にコピーして記録する（ステップＳ１１４）。その後、省エネモード設定画面１００を閉じて、本処理を終了する。キャンセル釦１０７の押下操作を受けた場合は（ステップＳ１１３；Ｎｏ、ステップＳ１１５；Ｙｅｓ）、一時管理テーブルを破棄し、省エネプロファイル管理テーブル１２０を更新せずに本処理を終了する。キャンセル釦１０７の操作も受けない場合は（ステップＳ１１５；Ｎｏ）、ステップＳ１０２に戻って処理を継続する。
【００９１】
図１０は、電子ペーパ１０が省エネプロファイルの設定を受ける際の処理（図９のステップＳ１０６の詳細）の流れを示している。
【００９２】
まず、図７に示したプロファイル詳細設定画面１１０を表示する（ステップＳ２０１）。この画面１１０内のいずれかの欄１１１〜１１７において入力あるいは選択の操作を受けると（ステップＳ２０２；Ｙｅｓ）、その入力あるいは選択の内容に従ってプロファイル詳細設定画面１１０の表示内容を更新し（ステップＳ２０３）、ステップＳ２０２へ戻る。
【００９３】
プロファイル詳細設定画面１１０にて登録釦１１８の操作を受けたら（ステップＳ２０４；Ｙｅｓ）、プロファイル詳細設定画面１１０の表示内容に従って一時管理テーブルの中の該当するプロファイルの登録内容を更新し（ステップＳ２０５）、プロファイル詳細設定画面１１０を閉じて本処理を終了する。
【００９４】
登録釦１１８の操作を受けずに（ステップＳ２０４；Ｎｏ）、キャンセル釦１１９の操作を受けた場合は（ステップＳ２０６；Ｙｅｓ）一時管理テーブルを更新することなく、プロファイル詳細設定画面１１０を閉じて本処理を終了する。キャンセル釦１１９の操作も受けない場合は（ステップＳ２０６；Ｎｏ）、ステップＳ２０２へ戻る。
【００９５】
図１１は、省エネモードの実行制御にかかわる動作を示す流れ図である。
【００９６】
電子ペーパ１０は、省エネプロファイル管理テーブル１２０を参照して、有効に設定されている省エネプロファイルの設定内容を読み込む（ステップＳ３０１）。次に、電源状態監視部１８から、バッテリー残量の情報を取得し（ステップＳ３０２）、その情報の示すバッテリー残量にて適用条件の成立する省エネプロファイルを検索する（ステップＳ３０３）。なお、バッテリー残量を適用条件とする省エネプロファイルが有効になっていない場合には、バッテリー残量の情報を取得しなくてもよい。
【００９７】
該当する省エネプロファイルが無ければ（ステップＳ３０４；Ｎｏ）、通常電力モードで第２表示エリア５０の表示内容の自動更新の制御が行われるように必要に応じて設定を変更し（ステップＳ３０５）、ステップＳ３０７へ移行する。これにより、通常電力モードで第２表示エリア５０の表示内容の自動更新に係る制御が実行される。
【００９８】
該当する省エネプロファイルがあれば（ステップＳ３０４；Ｙｅｓ）、その該当する省エネプロファイルの省エネモードで第２表示エリア５０の表示内容の自動更新の制御が行われるように必要に応じて設定を変更し（ステップＳ３０６）、ステップＳ３０７へ移行する。これにより、該当する省エネプロファイルの省電力モードで、第２表示エリア５０の表示内容の自動更新に係る制御が実行される。
【００９９】
ここで、適用条件の成立する省エネプロファイルが２以上存在する場合には、バッテリー残量の閾値の低い方を優先的に設定するなど前述した方法により、複数の省エネプロファイルの重複適用による矛盾が生じないように制御する。
【０１００】
具体的には、たとえば、図８に示す省エネプロファイル管理テーブル１２０が登録されており、現在のバッテリー残量が４５％の場合、省エネモード２が適用条件を満たしかつ優先されて実行される。
【０１０１】
その結果、バッテリー残量の項目５４には、バッテリー残量を示すアイコンが表示される。このアイコンは、たとえば、１０％単位にバッテリー残量を棒グラフの長さで示すものであり、１０％減少する毎に棒グラフの長さを短く表示するように更新される。この際、実際に書き換える部分は棒グラフ全体ではなく、短くする部分のみを黒から白にする、というように最小の書き換え面積となるようにされる。時刻の項目５２は５分間隔で更新される。日付の項目５１は、通常表示、すなわち、年月日で表示され、日が変わるときに表示が更新される。電波強度の項目５３は、３分間隔に表示が更新される。
【０１０２】
ステップＳ３０７では、省エネプロファイルの有効・無効やその内容の設定変更が行われたか否かを調べ、変更が無ければ（ステップＳ３０７；Ｎｏ）、ステップＳ３０２に戻って処理を継続する。変更が有れば（ステップＳ３０７；Ｙｅｓ）、ステップＳ３０１に戻って処理を継続する。
【０１０３】
このように、本実施の形態に係る電子ペーパ１０では、時刻や電波強度の表示など第２表示エリア５０の表示内容の自動更新を行う際の書き換え量（書き換え頻度、書き換え面積、表示・非表示）を省電力モードにおいて通常電力モードより少なくするので、文書や画像の閲覧、手書き入力時の軌跡の表示などユーザの操作に基づく表示内容の更新に電力をより有効利用することができ、残っているバッテリー残量で電源ＯＦＦまでにユーザ操作によるデータ閲覧等に利用可能な時間を長くすることができる。
【０１０４】
また各省電力モードの有効・無効および設定内容、適用条件をユーザが設定変更できるので、ユーザの希望に沿った省電力モードの動作が実現される。
【０１０５】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１０６】
本発明の実施の形態では電子ペーパ１０を表示装置の例として説明したが、電力の消費なしに表示内容を保持でき、表示内容の書き換え時に電力を消費する表示部を有し、かつ、表示エリアの一部に表示内容が装置によって自動更新される表示エリアを有する表示装置であれば任意の表示装置でよく、たとえば、タブレット端末や、携帯端末等の形態であってもよい。また、手書き入力の機能はなくてもよい。
【０１０７】
本発明の実施の形態では、バッテリー駆動の例を示し、適用条件をバッテリーの残量としたが、適用条件はこれ以外でもかまわない。たとえば、外部電源から電力供給される状態では、通常電力モードで動作し、バッテリー駆動に切り替わったことを適用条件として、省電力モードに切り替わるように構成されてもよい。
【０１０８】
実施の形態では、ユーザが複数の省エネプロファイル（省電力モード）の設定内容を設定可能な構成例を示したが、省電力モードの設定内容は１種類が固定的に設定されていてもよいし、数種類が予め登録されておりそれらの中から有効にする省電力モードをユーザが選択し得る構成であってもよい。
【０１０９】
書き換え量の変更方法として、書き換え頻度、書き換え面積、表示／非表示の中のいずれか１つまたは２つのみ採用されてもよい。書き換え頻度や面積の変更方法は実施の形態に示したものに限定されない。またたとえば、書き換え面積を少なくする方法としては、内容は同じまま表示サイズを小さくする、あるいは、時刻表示を１０分単位等で書き換える場合に１の位の書き換えを割愛する、といった方法を採用してもよい。すなわち、１つの表示項目を書き換える場合に、その中で必要な書き換え部分のみ書き換え、書き換え不要な部分は書き換えないように制御することで、書き換え面積を少なくするようにしてもよい。
【０１１０】
第２表示エリア５０に表示される表示項目は実施の形態で例示したものに限定されるものではない。
【符号の説明】
【０１１１】
１０…電子ペーパ
１１…ＣＰＵ
１２…ＲＯＭ
１３…ＲＡＭ
１４…不揮発メモリ
１５…画像処理部
１６…通信部
１７…電源ユニット
１８…電源状態監視部
１９…表示処理部
３０…操作パネル
３１…表示部
３２…操作部
３３…スイッチ部
３４…タッチパネル部
５０…第２表示エリア
５１…日付の項目
５２…時刻の項目
５３…電波強度の項目
５４…バッテリー残量の項目
６０…第１表示エリア
７０…ツールバー
８１、８３…電極
８２…前面板
８４…背面板
８５…マイクロカプセル
８６…負電荷を帯びた黒色顔料
８７…正電荷を帯びた白色顔料
１００…省エネモード設定画面
１０１…変更釦
１０２…削除釦
１０３…新規追加釦
１０４…確定釦
１０５…オンオフ切り替え欄
１０６…通知欄
１０７…キャンセル釦
１１０…プロファイル詳細設定画面
１１１…プロファイル名設定欄
１１２…バッテリー残量表示設定欄
１１３…時刻表示設定欄
１１４…カレンダ表示設定欄
１１５…電波強度表示設定欄
１１６…バッテリー残量閾値オンオフ欄
１１７…バッテリー残量閾値設定欄
１１８…登録釦
１１９…キャンセル釦
１２０…省エネプロファイル管理テーブル
【図１】
2014119981.tif 000003
【図２】
2014119981.tif 000004
【図３】
2014119981.tif 000005
【図４】
2014119981.tif 000006
【図５】
2014119981.tif 000007
【図６】
2014119981.tif 000008
【図７】
2014119981.tif 000009
【図８】
2014119981.tif 000010
【図９】
2014119981.tif 000011
【図１０】
2014119981.tif 000012
【図１１】
2014119981.tif 000013